(57)【要約】【課題】片手でのキャップ開閉を円滑に行うことができる容器支持体を提供する。【解決手段】容器支持体は、キャップ付きの容器を支持する容器支持体であって、容器が備える凸部又は凹部に係合する係合部を備え、係合部を容器の凸部又は凹部に係合させることで、キャップ開閉時の容器の回転を抑止する。【選択図】図１
2019194047.tif 000002
【特許請求の範囲】
【請求項１】
キャップ付きの容器を支持する容器支持体であって、
容器が備える凸部又は凹部に係合する係合部を備え、該係合部を容器の凸部又は凹部に係合させることで、キャップ開閉時の容器の回転を抑止することを特徴とする容器支持体。
【請求項２】
前記係合部は、容器の底部を載置する載置面に設けられ、容器底部の凹凸に係合するように中心に対して放射状に形成されていることを特徴とする請求項１記載の容器支持体。
【請求項３】
前記係合部は、複数の上向き凸部を備え、該上向き凸部の頂部に平坦面が形成されていることを特徴とする請求項２記載の容器支持体。
【請求項４】
前記係合部は、容器の胴部に設けた凹凸に係合することを特徴とする請求項１記載の容器支持体。
【請求項５】
容器の胴部を収容する収容部を備え、該収容部内に前記係合部が設けられていることを特徴とする請求項１〜４のいずれか１項記載の容器支持体。
【請求項６】
請求項１〜５のいずれか１項に記載の容器支持体における前記係合部が係合する凹部又は凸部を備えた容器。
【発明の詳細な説明】
【技術分野】
【０００１】
本発明は、キャップ付きの容器を支持する容器支持体に関するものである。
【背景技術】
【０００２】
ペットボトルなどのキャップ付き容器は、通常、一方の手で容器の胴部を保持して、他方の手でキャップを回転させることで、キャップの開栓又は閉栓を行う。したがって、各種の作業中にて片手が塞がれているような場合には、キャップの開栓又は閉栓を行うことができない。
【０００３】
これに対して、容器を支持する容器敷きパッドやカップホルダで、容器の回転を抑止することで、容器の開栓を片手で行えるようにすることが、下記の特許文献１，２等にて提案されている。特許文献１に記載の従来技術は、ペットボトルなどの容器を載置する載置部を有する容器敷きパッドを備え、容器を上方から押圧して載置部を弾性変形させることで、発生した反力が容器を回転させようとする回転力に対する抵抗力となり、片手でのキャップ開栓を可能にしている。また、特許文献２に記載の従来技術は、カップホルダの収容凹部内面に滑り止め処理を施し、収容凹部に収容した容器を下方に押し込むことによって、滑り止め処理を施した内面を容器の側面に押し付ける機構を備えることで、片手でのキャップ開栓を可能にしている。
【先行技術文献】
【特許文献】
【０００４】
【特許文献１】特開２０１２−８６７７６号公報
【特許文献２】特開２００５−４７４３８号公報
【発明の概要】
【発明が解決しようとする課題】
【０００５】
前述した従来技術では、容器を下方に押圧して、容器の底面や側面に接触する部位の摩擦抵抗を高めることで、キャップ開栓時の容器の回転を抑止している。このため、容器を下方に押圧する力が弱いと、容器の回転を十分に抑止することができず、片手でのキャップ開栓や閉栓を行うことができなくなる。
【０００６】
一般に、片手でキャップの開閉を行う状況では、利き手（例えば、右手）が塞がれており、利き手ではない方の手でキャップの開閉を行う。このため、容器を強く下方に押し込みながらキャップを回転させる動作は行い難く、前述した従来技術では、片手でのキャップの開閉を円滑に行うことができない問題があった。
【０００７】
本発明は、このような問題に対処することを課題としている。すなわち、片手でのキャップ開閉を円滑に行うことができるようにすることが、本発明の課題である。
【課題を解決するための手段】
【０００８】
このような課題を解決するために、本発明による容器支持体は、以下の構成を具備するものである。
キャップ付きの容器を支持する容器支持体であって、容器が備える凸部又は凹部に係合する係合部を備え、該係合部を容器の凸部又は凹部に係合させることで、キャップ開閉時の容器の回転を抑止することを特徴とする容器支持体。
【発明の効果】
【０００９】
このような特徴を有する本発明は、容器の側に積極的に凸部又は凹部を形成し、その凸部又は凹部に係合する係合部を容器支持体に設けることで、キャップ開栓時又は閉栓時の容器の回転を抑止している。このため、容器を強く下方に押し込まなくても容器の回転を抑止することができ、片手でのキャップ開閉を比較的弱い力で円滑に行うことができる。
【図面の簡単な説明】
【００１０】
【図１】本発明の実施形態に係る容器支持体に対応する容器（ペットボトル）の一例を示した説明図（（ａ）が側面図、（ｂ）が底面図）である。
【図２】図１に示した容器に対応する容器支持体を示した説明図（（ａ）が斜視図、（ｂ）が平面図、（ｃ）が（ｂ）におけるＡ−Ａ断面図）である。
【図３】図２の容器支持体の適用例（容器ホルダ）を示した説明図（（ａ）が平面図、（ｂ）が斜視図）である。
【図４】本発明の他の実施形態に係る容器支持体に対応する容器（ペットボトル）の一例を示した説明図（（ａ）が側面図、（ｂ）が（ａ）におけるＥ−Ｅ断面図）である。
【図５】図４に示した容器に対応する容器支持体の一例を示した説明図（（ａ）が平面図、（ｂ）が側面図、（ｃ）が斜視図）である。
【図６】図５に示した容器支持体の使用状態を示した説明図である。
【発明を実施するための形態】
【００１１】
以下、図面を参照して本発明の実施形態を説明する。以下の説明で、異なる図における同一符号は同一機能の部位を示しており、各図における重複説明は適宜省略する。
【００１２】
本発明の実施形態では、容器自体が凹部又は凸部を備えている。図１に示した例では、容器１は、口部１Ａ、肩部１Ｂ、胴部１Ｃ、底部１Ｄを備えており、口部１Ａに形成したねじ部１Ａ１に螺合するキャップ２を備えている。キャップ２は、容器１の中心軸Ｏ周りに回転することで、口部１Ａの開栓又は閉栓を行うものである。
【００１３】
この容器１は、底部１Ｄに凹部１Ｄ１と凸部１Ｄ２が設けられている。この例では、凹部１Ｄ１と凸部１Ｄ２は、容器１の中心軸Ｏに対して放射状に形成された底形状になっている。
【００１４】
図１の容器１に対応する容器支持体３は、図２に示すように、表面が容器１の底部１Ｄを載置する載置面３Ａになっており、裏面が固定面３Ｂになっている。そして、載置面３Ａには、容器１の凹部１Ｄ１に係合する係合部３Ｃが設けられている。係合部３Ｃは、容器１の凹部１Ｄ１と同様に、中心から放射状に形成されており、載置面３Ａに複数の上向き凸部を備え、この上向き凸部の頂部に平坦面３Ｃ１が形成されている。
【００１５】
図２に示した容器支持体３は、固定面３Ｂを台等の上の被固定面に固定して使用する。容器支持体３を台等の上に固定した後、容器支持体３の載置面３Ａ上に容器１の底部１Ｄを載置する。そして、底部１Ｄの凹部１Ｄ１に載置面３Ａ上に設けられている係合部３Ｃを係合する。係合部３Ｃは、底部１Ｄの凹部１Ｄ１を成形する際の成形型と同様の形状を有しており、載置面３Ａ上に容器１の底部１Ｄを載置した状態で凹部１Ｄ１と係合部３Ｃの方向を合わせるだけで、係合部３Ｃは凹部１Ｄ１にしっかりと係合する。
【００１６】
容器支持体３の係合部３Ｃが凹部１Ｄ１に係合した容器１は、中心軸Ｏ周りの回転が抑止されることになる。これによって、キャップ２を片手で回転させて、キャップ２の開閉を行うことができるようになる。
【００１７】
容器支持体３の上に、係合部３Ｃに合う凹部１Ｄ１を備えていない容器が載置された場合には、係合部３Ｃの平坦面３Ｃ１上に容器の底部が載置されることになるので、この場合にも、容器が傾かないように、容器支持体３上に容器を載置することができる。
【００１８】
図３は、容器支持体３の適用例を示している。この例では、容器１の胴部１Ｃを収容する収容部４Ａを有する容器ホルダ４の底面に容器支持体３が固定されている。これによると、容器ホルダ４の収容部４Ａ内に容器１の胴部１Ｃを収容し、係合部３Ｃの方向と容器１の底部１Ｄが備える凹部１Ｄ１の方向を合わせることで、凹部１Ｄ１に係合部３Ｃが係合して、容器１の回転を抑止する。
【００１９】
このような容器ホルダ４は車載用として設置することができる。容器ホルダ４に容器支持体３を設置するには、容器支持体３の固定面３Ｂに両面テープや接着材を付着して、容器支持体３を固定するようにしてもよいし、容器ホルダ４の底面に係合部３Ｃを一体に成形して、容器ホルダ４自体を容器支持体としてもよい。
【００２０】
図４は、本発明の実施形態における他の容器形態を示している。図４の容器１０は、口部１０Ａ、肩部１０Ｂ、胴部１０Ｃ、底部１０Ｄを備えており、口部１０Ａに形成したねじ部１０Ａ１に、図示省略したキャップが螺合される。
【００２１】
この容器１０は、胴部１０Ｃに凹部１０Ｃ１を備えている。そして、この容器１０に対応する容器支持体５は、図５に示すように、胴部１０Ｃに設けた凹部１０Ｃ１に係合する係合部５Ａを備えている。図５に示した容器支持体５は、それ自体が容器ホルダを構成しており、容器１０の胴部１０Ｃを収容する収容部５Ｂを備えており、その収容部５Ｂ内に係合部５Ａが設けられるように、係合片５Ａ１が取り付けられている。この係合片５Ａ１は、図５（ｂ）の矢印で示すように、角度調整自在に取り付けられており、角度を調整しながら容器１０の胴部１０Ｃに設けた凹部１０Ｃ１に係合部５Ａが係合される。
【００２２】
図６は、容器支持体５の収容部５Ｂに容器１０の胴部１０Ｃを収容して、胴部１０Ｃの凹部１０Ｃ１に係合部５Ａを係合した状態を示している。このように容器支持体５に支持された容器１０は、キャップ２を開ける際の回転方向に対して、凹部１０Ｃ１に係合した係合部５Ａが抵抗になって、容器１０の回転が抑止される。これによって、簡易にキャップ２を片手で開栓することが可能になる。また、凹部１０Ｃ１を胴部１０Ｃの左右両側に設けることで、キャップ２を閉める際にも容器１０の回転を抑制することができるので、簡易にキャップ２を片手で閉栓することができる。
【００２３】
以上説明したように、本発明の実施形態によると、容器自体に凹凸部を設けて、その凹凸部に係合する係合部を容器支持体に設けているので、個々の容器に合わせて係合部を適正に配置することで、容器の回転をしっかりと抑止することができる。これによって、片手でのキャップ開閉を、比較的弱い力であっても円滑に行うことができる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。具体的には、容器の底部に設けた凹部に係合する係合部と容器の胴部の設けた凹部に係合する係合部の両方を備えたものであってもよい。また、容器側に凸部を設けて、それに係合する凹部を容器支持体側に設けたものであってもよい。
【符号の説明】
【００２５】
１，１０：容器，１Ａ，１０Ａ：口部，１Ｂ，１０Ｂ：肩部，
１Ａ１，１０Ａ１：ねじ部，
１Ｃ，１０Ｃ：胴部，１Ｄ，１０Ｄ：底部，
１Ｄ１，１０Ｃ１：凹部，１Ｄ２：凸部，２：キャップ，
３，５：容器支持体，３Ａ：載置面，３Ｂ：固定面，
３Ｃ，５Ａ：係合部，３Ｃ１：平坦面，
４：容器ホルダ，４Ａ，５Ｂ：収容部，
５Ａ１：係合片，Ｏ：中心軸
【図１】
2019194047.tif 000003
【図２】
2019194047.tif 000004
【図３】
2019194047.tif 000005
【図４】
2019194047.tif 000006
【図５】
2019194047.tif 000007
【図６】
2019194047.tif 000008